(57)【要約】【課題】  取付用ネジのネジ頭が露出しない水抜栓の遠隔操作装置を提供する。【解決手段】  上面に形成された凹部内にネジ穴が設けられた上部分、及び下部分を有する本体と、凹部の一部に嵌まるように円弧板状に形作られた上部分、本体の下部分内に回転可能に収容される軸部分、及び本体の下部分の貫通穴から下方に突出する下部分を有するシャフト吊りと、シャフト吊りの上部分と合体させると凹部内に回転可能に嵌まる円板となるように形作られ、シャフト吊りに引き起こし可能に取り付けられたハンドルとを備え、シャフト吊りの下部分が、接合部材を介して水抜栓本体に接合されており、ハンドルを引き起こして任意方向に回転させることにより、水抜栓本体を給水又は水抜状態にする装置において、ハンドルを引き起こして回し、シャフト吊りの上部分を回転させ、各ネジ穴を順次露出させて本体を床にネジ止めするように構成されている。【選択図】  図１
2015203276.tif 000002
【特許請求の範囲】
【請求項１】
床下に設置される水抜栓本体を床上から操作する遠隔操作装置であって、
上面に円形の凹部が形成され、前記凹部内に複数個のネジ穴が設けられた上部分、及び前記上部分の下方に位置する円筒形の下部分を有する本体と、
前記凹部の一部に嵌まるように全体として円弧板状に形作られた上部分、前記上部分の下面に固定され、前記本体の前記下部分内に回転可能に収容される円筒形の軸部分、及び前記軸部分の下端に固定され、前記本体の前記下部分の貫通穴から下方に突出する下部分を有するシャフト吊りと、
前記シャフト吊りの前記上部分と合体させると前記凹部内に回転可能に嵌まる円板となるように形作られ、前記シャフト吊りに対して引き起こし可能に取り付けられた全体として円弧板状のハンドルとを備え、
前記シャフト吊りの前記下部分が、所定の接合部材を介して、前記水抜栓本体に接合されており、前記ハンドルを引き起こして一方向又は他方向に回転させることにより、前記水抜栓本体を給水状態又は水抜状態にするように構成されている装置において、
前記ハンドルを引き起こして回し、前記シャフト吊りの前記上部分を回転させ、前記ネジ穴の各々を順次露出させて前記本体を床にネジ止めすることにより、ネジの頭が外部に露出しないように構成されていることを特徴とする装置。
【請求項２】
前記ハンドルを引き起こした際に露出しないネジ穴が位置する、前記シャフト吊りの前記上部分に切欠きを設け、前記切欠きにキャップが嵌め込まれていることを特徴とする請求項１に記載された装置。
【請求項３】
前記水抜栓本体の作動状態を表示するための表示機構をさらに備え、
前記表示機構が、前記シャフト吊りの前記上部分の下面に設けられた弧状の溝と、前記溝のほぼ中央に、前記シャフト吊りの前記上部分の厚さ方向に貫通して設けられた表示窓と、一方の半部と他方の半部に異なる表示が上面に施され、前記溝内に摺動可能に嵌め込まれ、長さが前記溝よりも短い弧状の表示バーとを有しており、
前記ハンドルを回した際に前記表示窓から見える半部により、前記ハンドルの回転方向が確認できるように構成されていることを特徴とする請求項１又は２に記載された装置。
【発明の詳細な説明】
【技術分野】
【０００１】
本発明は一般に、水抜栓の遠隔操作装置に関する。より詳細には、本発明は、良好な美観を有し、指等が引っ掛かり怪我をするおそれもなく、床上から水抜栓本体の状態を容易に判断することができる床上操作式の水抜栓の遠隔操作装置に関する。
【背景技術】
【０００２】
寒冷地においては、水道管の凍結を防止するため、一般的には凍結深度以下の地中に、水抜栓が設置されている。そして、水抜栓を操作することにより、給水状態から水抜状態に移行させて配管内の水を排出し、水道管内の水が凍結しないようにしている。水抜栓は、種々の型式のものが開発され市販されているが、水抜栓本体を床下に設置し、操作時に水抜栓の頂部に設けられたハンドルを床上から操作する型式の水抜栓がある。
【０００３】
このような床上操作式の水抜栓の操作部の例を図１０に示す。図１０に示す例では、円板状の操作部本体が床面とほぼ面一になるようにネジで床に固定されており、操作部本体の中央に位置するハンドルを起こし（図１０（ｂ）参照）、起こしたハンドルを回すことによって、床下の水抜栓本体を操作するようになっている。
【発明の概要】
【発明が解決しようとする課題】
【０００４】
しかしながら、このような床上操作式の水抜栓では、操作部本体を床に固定するためのネジの頭が露出するため、美観が損なわれるとともに、指等が引っ掛かり怪我をするおそれがあるという課題があった。また、このような床上操作式の水抜栓では、操作される水抜栓本体が床下に位置するため、水抜栓本体を直接見ることができず、水抜栓本体の作動状態（給水状態であるか水抜状態であるか）を判断するには実際に操作してみなければならず、取り扱いが厄介であるという課題があった。
【０００５】
本発明は、このような状況に鑑みて開発されたものであって、床上操作式の水抜栓において、美観に配慮し、指等が引っ掛かり怪我をするおそれもなく、床上から水抜栓本体の作動状態を容易に判断することができる水抜栓の遠隔操作装置を提供することを目的としている。
【課題を解決するための手段】
【０００６】
本願請求項１に記載の、床下に設置される水抜栓本体を床上から操作する遠隔操作装置は、上面に円形の凹部が形成され、前記凹部内に複数個のネジ穴が設けられた上部分、及び前記上部分の下方に位置する円筒形の下部分を有する本体と、前記凹部の一部に嵌まるように全体として円弧板状に形作られた上部分、前記上部分の下面に固定され、前記本体の前記下部分内に回転可能に収容される円筒形の軸部分、及び前記軸部分の下端に固定され、前記本体の前記下部分の貫通穴から下方に突出する下部分を有するシャフト吊りと、前記シャフト吊りの前記上部分と合体させると前記凹部内に回転可能に嵌まる円板となるように形作られ、前記シャフト吊りに対して引き起こし可能に取り付けられた全体として円弧板状のハンドルとを備え、前記シャフト吊りの前記下部分が、所定の接合部材を介して、前記水抜栓本体に接合されており、前記ハンドルを引き起こして一方向又は他方向に回転させることにより、前記水抜栓本体を給水状態又は水抜状態にするように構成されており、前記ハンドルを引き起こして回し、前記シャフト吊りの前記上部分を回転させ、前記ネジ穴の各々を順次露出させて前記本体を床にネジ止めすることにより、ネジの頭が外部に露出しないように構成されていることを特徴とするものである。
【０００７】
本願請求項２に記載の遠隔操作装置は、前記請求項１の装置において、前記ハンドルを引き起こした際に露出しないネジ穴が位置する、前記シャフト吊りの前記上部分に切欠きを設け、前記切欠きにキャップが嵌め込まれていることを特徴とするものである。
【０００８】
本願請求項３に記載の遠隔操作装置は、前記請求項１又は２の装置において、前記水抜栓本体の作動状態を表示するための表示機構をさらに備え、前記表示機構が、前記シャフト吊りの前記上部分の下面に設けられた弧状の溝と、前記溝のほぼ中央に、前記シャフト吊りの前記上部分の厚さ方向に貫通して設けられた表示窓と、一方の半部と他方の半部に異なる表示が上面に施され、前記溝内に摺動可能に嵌め込まれ、長さが前記溝よりも短い弧状の表示バーとを有しており、前記ハンドルを回した際に前記表示窓から見える半部により、前記ハンドルの回転方向が確認できるように構成されていることを特徴とするものである。
【発明の効果】
【０００９】
本発明の遠隔操作装置によれば、ネジ頭が床面に露出することがないので、美観が損なわれることがなく、指等が引っ掛かり怪我をするおそれもない。また、本発明の遠隔操作装置に表示機構を設けることにより、床上から水抜栓本体の作動状態を容易に判断することが可能である。
【図面の簡単な説明】
【００１０】
【図１】本発明の遠隔操作装置の全体を示した斜視図であって、図１（ａ）は、ハンドルが収納されている状態を示した図、図１（ｂ）は、ハンドルを引き起こした状態を示した図である。
【図２】図１の遠隔操作装置の分解斜視図である。
【図３】図１（ｂ）の線３−３に沿って見た分解断面図である。
【図４】図１の遠隔操作装置のネジ取付部の一例を示した図である。
【図５】図１の遠隔操作装置のネジ取付部の別の例を示した図である。
【図６】図６（ａ）は、図１（ａ）の線６−６から見た図１の遠隔操作装置の底面図であって、表示機構の溝を示した図、図６（ｂ）は、表示バーの平面図、図６（ｃ）は、表示バーの側面図である。
【図７】表示機構の使用例を示した一連の図である。
【図８】図１の遠隔操作装置の各構成要素を組み立てた状態を示した断面図である。
【図９】図１の遠隔操作装置が水抜栓本体に取り付けられた状態を示した図である。
【図１０】床上操作式の水抜栓の従来の操作部の例を示した斜視図である。
【発明を実施するための形態】
【００１１】
次に、図面を参照して、本発明の好ましい実施の形態について詳細に説明する。図１は、本発明の遠隔操作装置の全体を示した斜視図（図１（ａ）は、ハンドルが収納されている状態を示した図、図１（ｂ）は、操作のため、ハンドルを引き起こした状態を示した図）、図２は、図１の遠隔操作装置の分解斜視図、図３は、図１（ｂ）の線３−３に沿って見た分解断面図である。図１および図２において全体として参照符号１０で示される本発明の好ましい実施の形態に係る遠隔操作装置は、本体１２を備えている。
【００１２】
本体１２は、図３に示されるように、円形の開口１２ａ１が中央に設けられた円板状の上部分１２ａと、開口１２ａ１の直径と実質的に同一の内径をもち、開口１２ａ１と連通するように上部分１２ａの下方に連結された円筒形の下部分１２ｂとを有する。下部分１２ｂの下部には、貫通穴１２ｂ１が設けられている。上部分１２ａと下部分１２ｂは通常、一体に形成されているが、別々に形成して適当な方法で連結してもよい。
【００１３】
本体１２の上部分１２ａの上面には、上部分１２ａの直径よりも僅かに小さな直径をもつ深さｄの円形の凹部１２ａ２が設けられている。本体１２の上部分１２ａの上面の周縁には、歩行時につまづかないように、面取り部１２ａ３を設けるのが好ましい。また、本体１２の上部分１２ａには、本体１２を床に固定するためのネジを通す複数個（図２では３個）のネジ穴１２ａ４が設けられている。
【００１４】
遠隔操作装置１０はまた、本体１２内に収容されるシャフト吊り１４を備えている。シャフト吊り１４は、本体１２の凹部１２ａ２の一部に嵌まるように形作られた上部分１４ａと、上部分１４ａの下面に固定され、本体１２の下部分１２ｂに回転可能に嵌め込まれる円筒形の軸部分１４ｂと、軸部分１４ｂの下端に固定され、本体１２の下部分１２ｂの貫通穴１２ｂ１から下方に突出する下部分１４ｃとを有している。シャフト吊り１４の上部分１４ａは、図２に示されるように、全体として円弧板状に形成されており、中央部に矩形の切欠き１４ａ１が設けられている。
【００１５】
遠隔操作装置１０はさらに、シャフト吊り１４の上部分１４ａと合体させると本体１２の凹部１２ａ２内に回転可能に嵌まる円板となるように形作られた円弧板状のハンドル１６を備えている。なお、ハンドル１６は、シャフト吊り１４の切欠き１４ａ１と相補する形状に形作られた矩形部１６ａを有している。ハンドル１６は、矩形部１６ａに設けられた孔１６ａ１およびシャフト吊り１４の軸部分１４ｂのピン用孔１４ｂ１に、スプリングピン１８を装着することによって、シャフト吊り１４に対して引き起こし可能に取り付けられている。
【００１６】
以上の構成により、ハンドル１６を引き起こすと、ハンドル１６の矩形部１６ａがシャフト吊り１４の軸部分１４ｂの穴１４ｂ２に嵌まるので、この状態でハンドル１６を回して、シャフト吊り１４を右回り又は左回りに回転させることができる。
【００１７】
本体１２は、ネジによって床の所望箇所に固定されるが、ネジ頭がシャフト吊り１４の上部分１４ａ及びハンドル１６によって被覆され、かつ、ハンドル１６を引き起こして上部分１４ａを本体１２の凹部１２ａ２内で回転させることができるので、ネジ頭が外部に露出しないようにすることができる。すなわち、ハンドル１６を引き起こして第１のネジ穴１２ａ４を露出させてネジを締める（図４（ａ）参照）。次いで、上部分１４ａを回転させて第２のネジ穴１２ａ４を露出させてネジを締める（図４（ｂ）参照）。次いで、上部分１４ａをさらに回転させて第３のネジ穴１２ａ４を露出させてネジを締める（図４（ｃ）参照）。本体１２をネジで床に固定した後、引き起こされたハンドル１６を元に戻せば、シャフト吊り１４の上部分１４ａとハンドル１６が蓋の役割を果たしてネジ頭を隠すことができる。
【００１８】
或いは、ネジ頭を外部に露出させないため、図５に示されるような構成を採用してもよい。図５に示される構成では、ハンドル１６を引き起こした際に露出するネジ穴１２ａ４−１と露出しないネジ穴１２ａ４−２の２種類のネジ穴がある。そして、ネジ穴１２ａ４−２が位置する上部分１４ａに切欠き１４ａ−１を設け、切欠き１４ａ−１にキャップ１４ａ−２が嵌め込まれるようになっている。このように構成することにより、ネジ穴１２ａ４−１についてはハンドル１６を引き起こしてネジを締め、ネジ穴１２ａ４−２についてはキャップ１４ａ−２を外してネジを締めた後にキャップ１４ａ−２を嵌め込むことにより、上部分１４ａを回転させずに、ネジ頭が外部に露出しないようにすることができる。
【００１９】
好ましくは、遠隔操作装置１０は、水抜栓本体の作動状態（給水状態であるか水抜状態であるか）を表示するための表示機構を備えている。表示機構は、図６に示されるように、シャフト吊り１４の上部分１４ａの下面に設けられた弧状の溝１４ａ２と、溝１４ａ２のほぼ中央に、上部分１４ａの厚さ方向に貫通して設けられた表示窓１４ａ３と、溝１４ａ２内に嵌め込まれる弧状の表示バー２０とを有している。表示バー２０は、溝１４ａ２内を摺動することができるように、幅が溝１４ａ２よりも僅かに小さく、長さが溝１４ａ２よりも短くなるように形作られている。表示バー２０の上面には、一方の半部（第１半部）２０ａと他方の半部（第２半部）２０ｂに異なる表示（例えば、異なる色）が施されており、表示窓１４ａ３から、いずれかの表示を視認できるようになっている。また、表示バー２０は、溝１４ａ２からの脱落を防止するため、上方に延びた突起２０ｃ（図６（ｃ）参照）が両端に形成されている。
【００２０】
図７を参照して表示機構の使用法について説明する。図７（ａ）は、中立状態を示しており、表示窓１４ａ３からは、表示バー２０の中央（第１半部２０ａと第２半部２０ｂの境界箇所）が見える（図７（ｂ）参照）。ハンドル１６を引き起こしてシャフト吊り１４を時計回りに回転させると、シャフト吊り１４は、本体１２の凹部１２ａ２内で時計回りに回り、表示バー２０の第２半部２０ｂの端が溝１４ａ２の端に当たり（図７（ｃ）参照）、表示窓１４ａ３からは第１半部２０ａのみが見える（図７（ｄ）参照）。引き続き、シャフト吊り１４を時計回りに回転させると、表示バー２０の第２半部２０ｂの端が溝１４ａ２の端に当たっており（図７（ｅ）参照）、シャフト吊り１４の回転に追従して表示バー２０も回転するため、表示窓１４ａ３からは第１半部２０ａのみが見え続ける（図７（ｆ）参照）。一方、シャフト吊り１４を反時計回りに回転させると、シャフト吊り１４は、本体１２の凹部１２ａ２内で反時計回りに回って、表示バー２０の第１半部２０ａの端が溝１４ａ２の端に当たる（図７（ｇ）参照）。この時点で表示窓１４ａ３からは第２半部２０ｂのみが見える（図７（ｈ）参照）。シャフト吊り１４を反時計回りに回転させ続けると、表示バー２０の第１半部２０ａの端が溝１４ａ２の端に当たっているため、シャフト吊り１４の回転に追従して表示バー２０も回転し続け、表示窓１４ａ３から第２半部２０ｂのみが見える状態が続く。
【００２１】
以上のようにして、シャフト吊り１４を時計回り又は反時計回りに回転させると、数回転させても、表示窓１４ａ３から見える半部は、回転方向によっていずれか一方（図７の例では、時計回りの場合は第１半部２０ａ、反時計回りの場合は第２半部２０ｂ）のみとなる。したがって、回転方向と水抜栓本体の作動状態を対応させておけば、表示窓１４ａ３を見ることにより、水抜栓本体の作動状態（給水状態であるか水抜状態であるか）を容易に判断することができる。
【００２２】
図８は、遠隔操作装置１０の各構成要素（本体１２、シャフト吊り１４、ハンドル１６、スプリングピン１８）を組み立てた状態を示す断面図である。シャフト吊り１４の回転を容易にするために、シャフト吊り１４の下部分１４ｃに軸受２２を装着して本体１２に嵌め込むように構成するのが好ましい。
【００２３】
図９は、遠隔操作装置１０が水抜栓本体に取り付けられた状態を示した図である。遠隔操作装置１０は、図４又は図５に示したような方法でネジによって床面に固定されており、シャフト吊り１４の下部分１４ｃが、所定の接合部材（ロッド、接合金具、ジョイント等）を介して、床下に設置された水抜栓本体に接合されている。そして、遠隔操作装置１０のハンドル１６を引き起こしてシャフト吊り１４を回転させることにより、水抜栓本体を給水状態又は水抜状態にすることができる。
【００２４】
本発明は、以上の発明の実施の形態に限定されることなく、特許請求の範囲に記載された発明の範囲内で、種々の変更が可能であり、それらも本発明の範囲内に包含されるものであることはいうまでもない。
【００２５】
前記実施の形態および図面に示された遠隔操作装置１０の各構成要素の細部は、例示的なものにすぎず、図示された形態等に限定されるものではない。
【符号の説明】
【００２６】
１０  遠隔操作装置
１２  本体
１２ａ  上部分
１２ａ１  開口
１２ａ２  凹部
１２ａ３  面取り部
１２ａ４  ネジ穴
１２ｂ  下部分
１２ｂ１  貫通穴
１４  シャフト吊り
１４ａ  上部分
１４ａ１  切欠き
１４ａ２  溝
１４ａ３  表示窓
１４ｂ  軸部分
１４ｂ１  ピン用孔
１４ｂ２  穴
１４ｃ  下部分
１６  ハンドル
１６ａ  矩形部
１８  スプリングピン
２０  表示バー
２０ａ  第１半部
２０ｂ  第２半部
２０ｃ  突起
２２  軸受
【図１】
2015203276.tif 000003
【図２】
2015203276.tif 000004
【図３】
2015203276.tif 000005
【図４】
2015203276.tif 000006
【図５】
2015203276.tif 000007
【図６】
2015203276.tif 000008
【図７】
2015203276.tif 000009
【図８】
2015203276.tif 000010
【図９】
2015203276.tif 000011
【図１０】
2015203276.tif 000012